(57)【要約】【課題】包装用箱の開閉動作等をしなくとも、何らかの販売促進効果が得られる包装用箱を提供する。【解決手段】左目だけで観察する左目用画像Ａと、右目だけで観察する右目用画像Ｂと、を備え、両画像を同時に観察することで立体画像を生じさせる包装用箱。箱内部を２つの部屋２、３に区画する仕切り壁５を備え、一方の部屋２の床面に上記左目用画像Ａを、他方の部屋３の床面に上記右目用画像Ｂを、それぞれ配置する。上記床面と対向する天壁６に、左目用画像Ａを覗く左目用開口８ａを形成するための第１破断線８と、右目用画像Ｂを覗く右目用開口９ａを形成するための第２破断線９と、を形成する。箱が空になった後に、第１判断線８および第２破断線９を破って、左目用開口８ａおよび右目用開口９ａを形成すれば、箱を手に持って覗き込むだけで、立体画像を楽しむことができる。この立体画像を商品またはメーカーと関連付けることで、販売促進効果を得る。【選択図】図１
2012066867.tif 000002
【特許請求の範囲】
【請求項１】
左目だけで観察する左目用画像（Ａ）と、右目だけで観察する右目用画像（Ｂ）と、を備え、両画像を同時に観察することで立体画像を生じさせる包装用箱であって、
箱内部を２つの部屋（２、３）に区画する仕切り壁（５）を備え、
一方の部屋（２）の床面に上記左目用画像（Ａ）を、他方の部屋（３）の床面に上記右目用画像（Ｂ）を、それぞれ備え、
上記床面と対向する壁面（６）に、左目用画像（Ａ）を覗く左目用開口（８ａ）を形成するための第１破断線（８）と、右目用画像（Ｂ）を覗く右目用開口（９ａ）を形成するための第２破断線（９）と、を備えた包装用箱。
【請求項２】
箱本体に対して回動する開閉フラップ（２０）を備えた請求項１記載の包装用箱であって、
上記第１破断線（８）は、当該開閉フラップの第１側縁（２１）から略平行に延びる２本の破断線（８１、８２）で形成され、当該第１破断線（８）を破断することで第１フラップ（８５）が構成され、
上記第２破断線（９）は、当該開閉フラップの第１側縁に対向する第２側縁（２２）から略平行に延びる２本の破断線（９１、９２）で形成され、当該第２破断線（９）を破断することで第２フラップ（９５）が構成され、
第１フラップ（８５）および第２フラップ（９５）を箱内部で連結することで上記仕切り壁（５）が構成される、包装用箱。
【請求項３】
上記第１フラップ（８５）および第２フラップ（９５）は、それぞれ、互いを重ねた状態で連結するための係止用スリット（８６、９６）を備えている、請求項２記載の包装用箱。
【請求項４】
上記左目用画像（Ａ）の近傍に第１採光窓（５１）を備え、右目用画像（Ｂ）の近傍に第２採光窓（５２）を備える、請求項１または２記載の包装用箱。
【請求項５】
上記第１および第２の採光窓（５１、５２）は、それぞれ、箱体の壁部に形成した略コ字状の破断線（５１ａ、５２ａ）を破ることで形成され、当該破断により形成された摘みフラップ（５３、５４）が立体画像を観察する際の摘み部として機能する、請求項４記載の包装用箱。
【発明の詳細な説明】
【技術分野】
【０００１】
本発明は、立体画像（３Ｄ）を生じさせる２つの画素（右目用と左目用）を内部に備える包装用箱に関する。
【背景技術】
【０００２】
本願出願人は、販売促進等を目的として、動画を生じさせる包装用箱を既に提案し、特許出願している（特許文献１）。
この包装用箱は、重ね合わせた「複合画像」と「フィルムゲージ」を相対的にスライドさせることで動画を生じさせる原理を応用したものである。複合画像とフィルムゲージを相対スライドさせる必要があるので、箱本体に対してヒンジ回動する開閉蓋を利用して、スライド動作を実現している。
【０００３】
【特許文献１】特開２０１０−１３１１９号公報
【発明の概要】
【発明が解決しようとする課題】
【０００４】
上記の包装用箱においては、動画を生じさせるために、箱本体に対して開閉蓋を回動させる必要がある。すなわち、消費者は、動画を楽しむために、開閉動作を要求されることとなる。
本発明では、消費者が開閉動作等をしなくとも何らかの販売促進効果が得られる包装用箱を提供することを目的とする。
【課題を解決するための手段】
【０００５】
右目用と左目用の２つの画像を別々に作り、両者をそれぞれの目で観察すると、立体（３Ｄ）として認識できる現象は、以前から知られている。本発明は、これを利用して、立体画像を生じさせる包装用箱を提供するものである。
【０００６】
本発明により、以下の特徴を供えた包装用箱が提供される。本発明の包装用箱は、「左目だけで観察する左目用画像」と「右目だけで観察する右目用画像」とを備え、両画像を同時に観察することで立体画像を生じさせるものである。
包装用箱は、箱内部を２つの部屋に区画する仕切り壁を備える。一方の部屋の床面に上記左目用画像が、他方の部屋の床面に上記右目用画像が、それぞれ配置される。
上記床面と対向する壁面に、「左目用画像を覗く左目用開口を形成するための第１破断線」と「右目用画像を覗く右目用開口を形成するための第２破断線」とを備える。
【発明の効果】
【０００７】
上記構成を備えた本発明の包装用箱においては、例えば内容物（菓子等）を全て消費して箱が空になった後に、第１破断線および第２破断線を破って、左目用開口および右目用開口を形成すれば、箱を手に持って覗き込むだけで、立体画像を楽しむことができる。
この立体画像を、商品またはこれを提供するメーカーと関連付けたものとすることで、販売促進効果が期待できる。
【図面の簡単な説明】
【０００８】
【図１】包装用箱において立体画像を見せる原理を説明する図。
【図２】本発明の一実施形態に係る包装用箱の斜視図。
【図３】図２の包装用箱を開封した状態で示す斜視図。
【図４】図３の状態から仕切り壁を形成した状態を示す斜視図。
【図５】図４の状態から包装用箱を再度閉じた状態を示す斜視図。
【発明を実施するための形態】
【０００９】
本発明の実施形態を添付の図面を参照して、以下詳細に説明する。まず、図１を参照して、包装用箱が立体画像を見せるための原理を説明する。
【００１０】
≪包装用箱が立体画像を見せる原理：図１≫
包装用箱１０の内部を、仕切り壁５で２つの部屋２、３に区画して、各部屋の床面に画像Ａ、画像Ｂを配置する。各画像は、床面に直接印刷してもよいし、別途用意してこれを貼り付けてもよい。
画像Ａ、Ｂを備えた床面に対向する壁面６には、それぞれの画像を覗くための破断開口８ａ、９ａを設ける。破断開口８ａ、９ａは、壁面を破断線８、９（ミシン目等）に沿って破り開けることで形成されるもので、例えば、内容物（菓子等）をとり出すために開封する部分を利用することができる。
図１では、破断線８、９を破って破断開口８ａ、９ａが形成された後の状態を示している。
【００１１】
画像Ａ、Ｂはそれぞれ別個に作られたもので、画像Ａは左目だけで観察され、画像Ｂは右目だけで観察される。これらが合成され、人間の脳はそれを立体画像として認識する。この現象は一般に知られたものであり、そのメカニズム自体は本発明のポイントではないので、ここで詳細な説明はしない。なお、図中では画像を簡単に「Ａ」、「Ｂ」と表示しているが、実際には立体画像を生成するための図柄等が表示される。
【００１２】
画像Ａ、Ｂは、仕切り壁５で仕切られた別々の部屋に配置されるので、破断開口８ａまたは９ａを通して片目だけで観察されることとなる。なお、仕切り壁５は、２つの部屋２、３を隙間無く仕切る必要はなく、破断開口９ａを通して右目で画像Ａが見えることのないように、また、破断開口８ａを通して左目で画像Ｂが見えることのないように、仕切ることができれば十分である。
【００１３】
≪具体的な包装用箱の構成：図２〜図４≫
図２〜図４は、本発明の一実施形態に係る包装用箱１０を示している。図２は開封前の状態を示し、図３は開閉フラップ２０を破り開けた状態を示す。この実施形態において、箱内の空間は、この段階では未だ仕切られてはいない。例えば、収容された菓子を全て消費して箱が空になった後、次に説明する手順に従って、仕切り壁を構成する。
【００１４】
開閉フラップ２０は、対向する２つの側縁から内方に向かって延在する第１破断線８および第２破断線９を有する。
第１破断線８は、第１側縁２１から略平行に延びる２本の破断線８１、８２で構成される。第２破断９は、第２側縁２２から略平行に延びる２本の破断線９１、９２で構成される。
【００１５】
第１破断線８を破断することで、折罫ａを中心として回動可能な第１フラップ８５が形成され、第２破断線９を破断することで、折罫ｂを中心として回動可能な第２フラップ９５が形成される。
図３に示した状態から、第１フラップ８５および第２フラップ９５を、箱内部に向かって回動させて、両者を重ね合わせることで、図１で説明した仕切り壁５が形成される。図示した実施形態では、両フラップ８５、９５には、それぞれ、係止用スリット８６、９６が形成されていて、これら両スリットを互いに係合させることで、両フラップ８５、９５が重なり状態で固定され、仕切り壁５として機能する（図４）。
【００１６】
仕切り壁５を形成した後、開閉フラップ２０を閉じると、図５に示したように、この仕切り壁５によって、箱内部が２つの部屋２、３に区画される。また、これとともに、包装用箱の天壁６においては、第１フラップ８５がもとあった位置に第１破断開口８ａが、第２フラップ９５がもとあった位置に第２破断開口９ａが、それぞれ形成される。
【００１７】
包装用箱の床面には、予め画像Ａ、Ｂが印刷または貼り付けられているので、包装用箱が空になった後、上の手順に従って仕切り壁５を組み立てて、開閉フラップ２０を閉じれば、すぐに立体画像を楽しむことができる。
【００１８】
この立体画像を、商品またはこれを提供するメーカーと関連付けたものとすることで、販売促進効果が期待できる。
【００１９】
≪採光窓≫
立体画像をクリアに認識できるように、包装用箱の壁面に採光窓を設けて、箱内に十分な光を採り入れることが好ましい。
図５に示したように、左目用画像Ａの近傍に第１採光窓５１が、右目用画像Ｂの近傍に第２採光窓５２が形成されている。適度な光量を確保できるものであれば、採光窓の具体的な形状や面積は、適宜のものを採用できる。
図示した例では、箱体の壁部に略コ字状の破断線５１ａ、５２ａを設け、これを破ることで採光窓が形成されるようにしている。破断線をコ字状としているので、これを破断することで揺動可能な摘みフラップ５３、５４が構成される。これらの摘みフラップ５３、５４は、箱体の外側に拡げて、消費者が立体画像を観察する際の摘み部として使用することができる。
【００２０】
≪他の実施形態≫
本発明の包装用箱の構成は、図示した例に限定されるものではなく、図１を参照して説明した原理を実現できるものであれば、種々の具体的構成を採用することができる。
【符号の説明】
【００２１】
２、３  容器内で区画された部屋
５  仕切り壁
６  天壁
８  第１破断線
８ａ  左目用開口
９  第２破断線
９ａ  右目用開口
１０  包装用箱
２０  開閉フラップ
２１  第１側縁
２２  第２側縁
５１  第１採光窓
５２  第２採光窓
５１ａ、５２ａ  破断線
５３、５４  摘みフラップ
８１、８２  破断線
８５  第１フラップ
８６  係止用スリット
９１、９２  破断線
９５  第２フラップ
９６  係止用スリット
【図１】
2012066867.tif 000003
【図２】
2012066867.tif 000004
【図３】
2012066867.tif 000005
【図４】
2012066867.tif 000006
【図５】
2012066867.tif 000007